【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
周波数スペクトルの利用可能な帯域幅を識別することと、
前記利用可能な帯域幅の最小占有を識別することと、
１つ以上のアップリンクチャネル上で送信されるべきデータを備えるデータストリームを取得することと、前記１つ以上のアップリンクチャネルの各々が、前記周波数スペクトルを介したアップリンク送信のためのいくつかの割り当てられたインターレースを備え、ここにおいて、前記いくつかの割り当てられたインターレースの各々が、前記周波数スペクトルの１つ以上のリソースブロックを備え、前記いくつかの割り当てられたインターレースの前記１つ以上のリソースブロックは、少なくとも前記利用可能な帯域幅の前記最小占有に及ぶ、
前記いくつかの割り当てられたインターレースのための１つ以上の多重分離されたデータストリームを与えるために前記データストリームを多重分離することと、
前記いくつかの割り当てられたインターレースに関連する複数のリソース要素に前記１つ以上の多重分離されたデータストリームのうちの少なくとも１つをマッピングすることと
を備える、方法。
【請求項２】
前記いくつかの割り当てられたインターレースの各々が、前記周波数スペクトルの複数の不連続リソースブロックを備える、請求項１に記載の方法。
【請求項３】
前記いくつかの割り当てられたインターレースの各々が、前記周波数スペクトルの複数の連続リソースブロックを備える、請求項１に記載の方法。
【請求項４】
前記いくつかの割り当てられたインターレースの各々が、前記周波数スペクトルの複数のリソースブロックを備え、ここにおいて、前記複数のリソースブロックの第１のサブセットが連続であり、前記複数のリソースブロックの第２のサブセットが不連続である、請求項１に記載の方法。
【請求項５】
前記１つ以上のアップリンクチャネルが、物理アップリンク共有チャネル（ＰＵＳＣＨ）を備える、請求項１に記載の方法。
【請求項６】
前記ＰＵＳＣＨのための前記いくつかの割り当てられたインターレースの前記１つ以上のリソースブロックが、非隣接リソースブロックを備え、ここにおいて、別個の多重分離されたデータストリームが、前記非隣接リソースブロックの各リソースブロックにマッピングされる、請求項５に記載の方法。
【請求項７】
前記ＰＵＳＣＨのための前記いくつかの割り当てられたインターレースの前記１つ以上のリソースブロックが、少なくとも２つの隣接リソースブロックを備え、ここにおいて、前記１つ以上の多重分離されたデータストリームのうちの１つが、前記少なくとも２つの隣接リソースブロックの各リソースブロックにマッピングされる、請求項５に記載の方法。
【請求項８】
前記複数のリソース要素が、シングルキャリア周波数分割多元接続（ＳＣ−ＦＤＭＡ）技法を使用して送信される、請求項５に記載の方法。
【請求項９】
前記方法が、
多重分離されたデータストリームごとに離散フーリエ変換（ＤＦＴ）を実行すること
をさらに備える、請求項８に記載の方法。
【請求項１０】
前記複数のリソース要素が、直交周波数分割多元接続（ＯＦＤＭＡ）技法を使用して送信される、請求項５に記載の方法。
【請求項１１】
前記１つ以上のアップリンクチャネルが、物理アップリンク制御チャネル（ＰＵＣＣＨ）を備える、請求項１に記載の方法。
【請求項１２】
前記１つ以上の多重分離されたデータストリームのうちの少なくとも１つのために離散フーリエ変換（ＤＦＴ）を実行すること
をさらに備える、請求項１１に記載の方法。
【請求項１３】
前記ＰＵＣＣＨ上で送信されるべき前記データのペイロードサイズを決定することと、  前記ペイロードサイズに基づいて選択された符号化方式を使用して送信されるべき前記データを符号化することと
をさらに備える、請求項１１に記載の方法。
【請求項１４】
前記データを符号化することが、前記ペイロードサイズのしきい値に少なくとも部分的に基づいて前記データを符号化する前記符号化方式を選択することを備える、請求項１３に記載の方法。
【請求項１５】
前記ＰＵＣＣＨのための前記いくつかの割り当てられたインターレースに少なくとも部分的に基づいて前記符号化されたデータをレートマッチングすること
をさらに備える、請求項１３に記載の方法。
【請求項１６】
前記レートマッチングされた符号化されたデータをインターリーブすること
をさらに備える、請求項１５に記載の方法。
【請求項１７】
前記インターリーブされレートマッチングされた符号化されたデータをスクランブルすること
をさらに備える、請求項１６に記載の方法。
【請求項１８】
拡散シーケンスを使用して前記１つ以上の多重分離されたデータストリームの各々を拡散すること
をさらに備える、請求項１１に記載の方法。
【請求項１９】
基準信号で前記１つ以上の多重分離されたデータストリームの各々を多重化すること
をさらに備える、請求項１１に記載の方法。
【請求項２０】
前記１つ以上のアップリンクチャネルが、物理ランダムアクセスチャネル（ＰＲＡＣＨ）を備える、請求項１に記載の方法。
【請求項２１】
ランダムアクセス要求のための前記いくつかの割り当てられたインターレースのサブセットを選択することと、
前記いくつかの割り当てられたインターレースの前記選択されたサブセットのための前記データストリームに送信されるべき前記データを符号化することと
をさらに備える、請求項２０に記載の方法。
【請求項２２】
前記ＰＲＡＣＨへの前記いくつかの割り当てられたインターレースに少なくとも部分的に基づいて前記符号化されたデータをレートマッチングすること
をさらに備える、請求項２１に記載の方法。
【請求項２３】
前記レートマッチングされた符号化されたデータをインターリーブすること
をさらに備える、請求項２２に記載の方法。
【請求項２４】
前記インターリーブされレートマッチングされた符号化されたデータをスクランブルすること
をさらに備える、請求項２３に記載の方法。
【請求項２５】
前記いくつかの割り当てられたインターレースの各々のための前記１つ以上の多重分離されたデータストリームの各々を拡散することと、
前記１つ以上の多重分離されたデータストリームの各々のために離散フーリエ変換（ＤＦＴ）を実行すること
をさらに備える、請求項２０に記載の方法。
【請求項２６】
基準信号で前記いくつかの割り当てられたインターレースの各々のための前記１つ以上の多重分離されたデータストリームの各々を多重化すること
をさらに備える、請求項２０に記載の方法。
【請求項２７】
前記１つ以上のアップリンクチャネルが、物理アップリンク制御チャネル（ＰＵＣＣＨ）と、物理アップリンク共有チャネル（ＰＵＳＣＨ）と、物理ランダムアクセスチャネル（ＰＲＡＣＨ）とを備える、請求項１に記載の方法。
【請求項２８】
前記ＰＵＣＣＨ、ＰＵＳＣＨ、およびＰＲＡＣＨの前記各々が、割り当てられたインターレースの１つ以上のクラスタを備える、請求項２７に記載の方法。
【請求項２９】
割り当てられたインターレースの前記１つ以上のクラスタの各々が、前記ＰＵＣＣＨ、ＰＵＳＣＨ、またはＰＲＡＣＨのうちの１つのための前記いくつかの割り当てられたインターレースを備える、請求項２８に記載の方法。
【請求項３０】
前記ＰＵＣＣＨが、無線フレームの第１のアップリンクサブフレーム中に割り当てられたインターレースの１つ以上のクラスタを備える、請求項２８に記載の方法。
【請求項３１】
前記ＰＲＡＣＨが、無線フレームの第１のアップリンクサブフレーム中に割り当てられたインターレースの１つ以上のクラスタを備える、請求項２８に記載の方法。
【請求項３２】
前記ＰＵＳＣＨが、無線フレームの第１のアップリンクサブフレーム中の割り当てられたインターレースのクラスタの第１のサブセットと前記無線フレームの後続のアップリンクサブフレームのための割り当てられたインターレースのクラスタの第２のサブセットとを備え、割り当てられたインターレースのクラスタの前記第２のサブセットが、割り当てられたインターレースのクラスタの前記第１のサブセットとは異なる数の、割り当てられたインターレースのクラスタを有する、請求項２８に記載の方法。
【請求項３３】
割り当てられたインターレースのクラスタの前記第１のサブセットと割り当てられたインターレースのクラスタの前記第２のサブセットとのために利用可能なクラスタが、基地局から受信された制御シグナリングに基づいて決定される、請求項３２に記載の方法。
【請求項３４】
ワイヤレス通信のための装置であって、
プロセッサと、
前記プロセッサと電子通信しているメモリと
を備え、
前記プロセッサと前記メモリとが、
周波数スペクトルの利用可能な帯域幅を識別することと、
前記利用可能な帯域幅の最小占有を識別することと、
１つ以上のアップリンクチャネル上で送信されるべきデータを備えるデータストリームを取得することと、前記１つ以上のアップリンクチャネルの各々が、前記周波数スペクトルを介したアップリンク送信のためのいくつかの割り当てられたインターレースを備え、ここにおいて、前記いくつかの割り当てられたインターレースの各々が、前記周波数スペクトルの１つ以上のリソースブロックを備え、前記いくつかの割り当てられたインターレースの前記１つ以上のリソースブロックは、少なくとも前記利用可能な帯域幅の前記最小占有に及ぶ、
前記いくつかの割り当てられたインターレースのための１つ以上の多重分離されたデータストリームを与えるために前記データストリームを多重分離することと、
前記いくつかの割り当てられたインターレースに関連する複数のリソース要素に前記１つ以上の多重分離されたデータストリームのうちの少なくとも１つをマッピングすることと
を行うように構成された、装置。
【請求項３５】
前記いくつかの割り当てられたインターレースの各々が、前記周波数スペクトルの複数の不連続リソースブロックを備える、請求項３４に記載の装置。
【請求項３６】
前記いくつかの割り当てられたインターレースの各々が、前記周波数スペクトルの複数の連続リソースブロックを備える、請求項３４に記載の装置。
【請求項３７】
前記いくつかの割り当てられたインターレースの各々が、前記周波数スペクトルの複数のリソースブロックを備え、ここにおいて、前記複数のリソースブロックの第１のサブセットが連続であり、前記複数のリソースブロックの第２のサブセットが不連続である、請求項３４に記載の装置。
【請求項３８】
前記１つ以上のアップリンクチャネルが、物理アップリンク共有チャネル（ＰＵＳＣＨ）を備える、請求項３４に記載の装置。
【請求項３９】
前記ＰＵＳＣＨのための前記いくつかの割り当てられたインターレースの前記１つ以上のリソースブロックが、非隣接リソースブロックを備え、ここにおいて、別個の多重分離されたデータストリームが、前記非隣接リソースブロックの各リソースブロックにマッピングされる、請求項３８に記載の装置。
【請求項４０】
前記ＰＵＳＣＨのための前記いくつかの割り当てられたインターレースの前記１つ以上のリソースブロックが、少なくとも２つの隣接リソースブロックを備え、ここにおいて、前記１つ以上の多重分離されたデータストリームのうちの１つが、前記少なくとも２つの隣接リソースブロックの各リソースブロックにマッピングされる、請求項３８に記載の装置。
【請求項４１】
前記複数のリソース要素が、シングルキャリア周波数分割多元接続（ＳＣ−ＦＤＭＡ）技法を使用して送信される、請求項３８に記載の装置。
【請求項４２】
前記プロセッサと前記メモリとが、
前記１つ以上の多重分離されたデータストリームの各々のために離散フーリエ変換（ＤＦＴ）を実行すること
を行うようにさらに構成された、請求項４１に記載の装置。
【請求項４３】
前記複数のリソース要素が、直交周波数分割多元接続（ＯＦＤＭＡ）技法を使用して送信される、請求項３８に記載の装置。
【請求項４４】
前記１つ以上のアップリンクチャネルが、物理アップリンク制御チャネル（ＰＵＣＣＨ）を備える、請求項３４に記載の装置。
【請求項４５】
前記プロセッサと前記メモリとが、
前記１つ以上の多重分離されたデータストリームのうちの少なくとも１つのために離散フーリエ変換（ＤＦＴ）を実行すること
を行うようにさらに構成された、請求項４４に記載の装置。
【請求項４６】
前記プロセッサと前記メモリとが、
前記ＰＵＣＣＨ上で送信されるべき前記データのペイロードサイズを決定することと、  前記ペイロードサイズに基づいて選択された符号化方式を使用して送信されるべき前記データを符号化することと
を行うようにさらに構成された、請求項４４に記載の装置。
【請求項４７】
前記プロセッサと前記メモリとが、前記ペイロードサイズのしきい値に少なくとも部分的に基づいて前記データを符号化する前記符号化方式を選択することを行うようにさらに構成された、請求項４６に記載の装置。
【請求項４８】
前記プロセッサと前記メモリとが、
前記ＰＵＣＣＨのための前記いくつかの割り当てられたインターレースに少なくとも部分的に基づいて前記符号化されたデータをレートマッチングすること
を行うようにさらに構成された、請求項４６に記載の装置。
【請求項４９】
前記プロセッサと前記メモリとが、
前記レートマッチングされた符号化されたデータをインターリーブすること
を行うようにさらに構成された、請求項４８に記載の装置。
【請求項５０】
前記プロセッサと前記メモリとが、
前記インターリーブされレートマッチングされた符号化されたデータをスクランブルすること
を行うようにさらに構成された、請求項４９に記載の装置。
【請求項５１】
前記プロセッサと前記メモリとが、
拡散シーケンスを使用して前記１つ以上の多重分離されたデータストリームの各々を拡散すること
を行うようにさらに構成された、請求項４４に記載の装置。
【請求項５２】
前記プロセッサと前記メモリとが、
基準信号で前記１つ以上の多重分離されたデータストリームの各々を多重化すること
を行うようにさらに構成された、請求項４４に記載の装置。
【請求項５３】
前記１つ以上のアップリンクチャネルが、物理ランダムアクセスチャネル（ＰＲＡＣＨ）を備える、請求項３４に記載の装置。
【請求項５４】
前記プロセッサと前記メモリとが、
ランダムアクセス要求のための前記いくつかの割り当てられたインターレースのサブセットを選択することと、
前記いくつかの割り当てられたインターレースの前記選択されたサブセットのための前記データストリームに送信されるべき前記データを符号化することと
を行うようにさらに構成された、請求項５３に記載の装置。
【請求項５５】
前記プロセッサと前記メモリとが、
前記ＰＲＡＣＨへの前記いくつかの割り当てられたインターレースに少なくとも部分的に基づいて前記符号化されたデータをレートマッチングすること
を行うようにさらに構成された、請求項５４に記載の装置。
【請求項５６】
前記プロセッサと前記メモリとが、
前記レートマッチングされた符号化されたデータをインターリーブすること
を行うようにさらに構成された、請求項５５に記載の装置。
【請求項５７】
前記プロセッサと前記メモリとが、
前記インターリーブされレートマッチングされた符号化されたデータをスクランブルすること
を行うようにさらに構成された、請求項５６に記載の装置。
【請求項５８】
前記プロセッサと前記メモリとが、
前記いくつかの割り当てられたインターレースの各々のための前記１つ以上の多重分離されたデータストリームの各々を拡散することと、
前記１つ以上の多重分離されたデータストリームの各々のために離散フーリエ変換（ＤＦＴ）を実行することと
を行うようにさらに構成された、請求項５３に記載の装置。
【請求項５９】
前記プロセッサと前記メモリとが、
基準信号で前記いくつかの割り当てられたインターレースの各々のための前記１つ以上の多重分離されたデータストリームの各々を多重化すること
を行うようにさらに構成された、請求項５３に記載の装置。
【請求項６０】
前記１つ以上のアップリンクチャネルが、物理アップリンク制御チャネル（ＰＵＣＣＨ）と、物理アップリンク共有チャネル（ＰＵＳＣＨ）と、物理ランダムアクセスチャネル（ＰＲＡＣＨ）とを備える、請求項３４に記載の装置。
【請求項６１】
前記ＰＵＣＣＨ、ＰＵＳＣＨ、およびＰＲＡＣＨの前記各々が、割り当てられたインターレースの１つ以上のクラスタを備える、請求項６０に記載の装置。
【請求項６２】
割り当てられたインターレースの前記１つ以上のクラスタの各々が、前記ＰＵＣＣＨ、ＰＵＳＣＨ、またはＰＲＡＣＨのうちの１つのための前記いくつかの割り当てられたインターレースを備える、請求項６１に記載の装置。
【請求項６３】
前記ＰＵＣＣＨが、無線フレームの第１のアップリンクサブフレーム中に割り当てられたインターレースの１つ以上のクラスタを備える、請求項６１に記載の装置。
【請求項６４】
前記ＰＲＡＣＨが、無線フレームの第１のアップリンクサブフレーム中に割り当てられたインターレースの１つ以上のクラスタを備える、請求項６１に記載の装置。
【請求項６５】
前記ＰＵＳＣＨが、無線フレームの第１のアップリンクサブフレーム中の割り当てられたインターレースのクラスタの第１のサブセットと前記無線フレームの後続のアップリンクサブフレームのための割り当てられたインターレースのクラスタの第２のサブセットとを備え、割り当てられたインターレースのクラスタの前記第２のサブセットが、割り当てられたインターレースのクラスタの前記第１のサブセットとは異なる数の、割り当てられたインターレースのクラスタを有する、請求項６１に記載の装置。
【請求項６６】
割り当てられたインターレースのクラスタの前記第１のサブセットと割り当てられたインターレースのクラスタの前記第２のサブセットとのために利用可能なクラスタが、基地局から受信された制御シグナリングに基づいて決定される、請求項６５に記載の装置。
【請求項６７】
ワイヤレス通信のための装置であって、
周波数スペクトルの利用可能な帯域幅を識別するための手段と、
前記利用可能な帯域幅の最小占有を識別するための手段と、
１つ以上のアップリンクチャネル上で送信されるべきデータを備えるデータストリームを取得するための手段と、前記１つ以上のアップリンクチャネルの各々が、前記周波数スペクトルを介したアップリンク送信のためのいくつかの割り当てられたインターレースを備え、ここにおいて、前記いくつかの割り当てられたインターレースの各々が、前記周波数スペクトルの１つ以上のリソースブロックを備え、前記いくつかの割り当てられたインターレースの前記１つ以上のリソースブロックは、少なくとも前記利用可能な帯域幅の前記最小占有に及ぶ、
前記いくつかの割り当てられたインターレースのための１つ以上の多重分離されたデータストリームを与えるために前記データストリームを多重分離するための手段と、  前記いくつかの割り当てられたインターレースに関連する複数のリソース要素に前記１つ以上の多重分離されたデータストリームのうちの少なくとも１つをマッピングするための手段と
を備える、装置。
【請求項６８】
前記いくつかの割り当てられたインターレースの各々が、前記周波数スペクトルの複数の不連続リソースブロックを備える、請求項６７に記載の装置。
【請求項６９】
前記いくつかの割り当てられたインターレースの各々が、前記周波数スペクトルの複数の連続リソースブロックを備える、請求項６７に記載の装置。
【請求項７０】
前記いくつかの割り当てられたインターレースの各々が、前記周波数スペクトルの複数のリソースブロックを備え、ここにおいて、前記複数のリソースブロックの第１のサブセットが連続であり、前記複数のリソースブロックの第２のサブセットが不連続である、請求項６７に記載の装置。
【請求項７１】
前記１つ以上のアップリンクチャネルが、物理アップリンク共有チャネル（ＰＵＳＣＨ）を備える、請求項６７に記載の装置。
【請求項７２】
前記１つ以上の多重分離されたデータストリームの各々のために離散フーリエ変換（ＤＦＴ）を実行するための手段
をさらに備える、請求項７１に記載の装置。
【請求項７３】
前記１つ以上のアップリンクチャネルが、物理アップリンク制御チャネル（ＰＵＣＣＨ）を備える、請求項６７に記載の装置。
【請求項７４】
前記１つ以上の多重分離されたデータストリームのうちの少なくとも１つのために離散フーリエ変換（ＤＦＴ）を実行するための手段
をさらに備える、請求項７３に記載の装置。
【請求項７５】
前記ＰＵＣＣＨ上で送信されるべき前記データのペイロードサイズを決定するための手段と、
前記ペイロードサイズに基づいて選択された符号化方式を使用して送信されるべき前記データを符号化するための手段と
をさらに備える、請求項７３に記載の装置。
【請求項７６】
前記データを符号化するための前記手段が、前記ペイロードサイズのしきい値に少なくとも部分的に基づいて前記データを符号化する前記符号化方式を選択するための手段を備える、請求項７５に記載の装置。
【請求項７７】
前記１つ以上のアップリンクチャネルが、物理ランダムアクセスチャネル（ＰＲＡＣＨ）を備える、請求項６７に記載の装置。
【請求項７８】
ランダムアクセス要求のための前記いくつかの割り当てられたインターレースのサブセットを選択するための手段と、
前記いくつかの割り当てられたインターレースの前記選択されたサブセットのための前記データストリームに送信されるべき前記データを符号化するための手段と
をさらに備える、請求項７７に記載の装置。
【請求項７９】
前記いくつかの割り当てられたインターレースの各々のための前記１つ以上の多重分離されたデータストリームの各々を拡散するための手段と、
前記１つ以上の多重分離されたデータストリームの各々のために離散フーリエ変換（ＤＦＴ）を実行するための手段と
をさらに備える、請求項７８に記載の装置。
【請求項８０】
前記１つ以上のアップリンクチャネルが、物理アップリンク制御チャネル（ＰＵＣＣＨ）と、物理アップリンク共有チャネル（ＰＵＳＣＨ）と、物理ランダムアクセスチャネル（ＰＲＡＣＨ）とを備える、請求項６７に記載の装置。
【請求項８１】
前記ＰＵＣＣＨ、ＰＵＳＣＨ、およびＰＲＡＣＨの前記各々が、割り当てられたインターレースの１つ以上のクラスタを備える、請求項８０に記載の装置。
【請求項８２】
前記ＰＵＣＣＨと前記ＰＲＡＣＨとの各々が、無線フレームの第１のアップリンクサブフレーム中に割り当てられたインターレースの１つ以上のクラスタを備える、請求項８１に記載の装置。
【請求項８３】
前記ＰＵＳＣＨが、無線フレームの第１のアップリンクサブフレーム中の割り当てられたインターレースのクラスタの第１のサブセットと前記無線フレームの後続のアップリンクサブフレームのための割り当てられたインターレースのクラスタの第２のサブセットとを備え、割り当てられたインターレースのクラスタの前記第２のサブセットが、割り当てられたインターレースのクラスタの前記第１のサブセットとは異なる数の、割り当てられたインターレースのクラスタを有する、請求項８１に記載の装置。
【請求項８４】
ワイヤレス通信のためのコンピュータ実行可能コードを記憶するコンピュータ可読媒体であって、前記コードが、プロセッサによって、
周波数スペクトルの利用可能な帯域幅を識別することと、
前記利用可能な帯域幅の最小占有を識別することと、
１つ以上のアップリンクチャネル上で送信されるべきデータを備えるデータストリームを取得することと、前記１つ以上のアップリンクチャネルの各々が、前記周波数スペクトルを介したアップリンク送信のためのいくつかの割り当てられたインターレースを備え、ここにおいて、前記いくつかの割り当てられたインターレースの各々が、前記周波数スペクトルの１つ以上のリソースブロックを備え、前記いくつかの割り当てられたインターレースの前記１つ以上のリソースブロックは、少なくとも前記利用可能な帯域幅の前記最小占有に及ぶ、
前記いくつかの割り当てられたインターレースのための１つ以上の多重分離されたデータストリームを与えるために前記データストリームを多重分離することと、
前記いくつかの割り当てられたインターレースに関連する複数のリソース要素に前記１つ以上の多重分離されたデータストリームのうちの少なくとも１つをマッピングすることと
を行うために実行可能である、コンピュータ可読媒体。
【請求項８５】
前記いくつかの割り当てられたインターレースの各々が、前記周波数スペクトルの複数の不連続リソースブロックを備える、請求項８４に記載のコンピュータ可読媒体。
【請求項８６】
前記いくつかの割り当てられたインターレースの各々が、前記周波数スペクトルの複数の連続リソースブロックを備える、請求項８４に記載のコンピュータ可読媒体。
【請求項８７】
前記いくつかの割り当てられたインターレースの各々が、前記周波数スペクトルの複数のリソースブロックを備え、ここにおいて、前記複数のリソースブロックの第１のサブセットが連続であり、前記複数のリソースブロックの第２のサブセットが不連続である、請求項８４に記載のコンピュータ可読媒体。
【請求項８８】
前記１つ以上のアップリンクチャネルが、物理アップリンク共有チャネル（ＰＵＳＣＨ）を備える、請求項８４に記載のコンピュータ可読媒体。
【請求項８９】
前記コードが、前記プロセッサによって、
前記１つ以上の多重分離されたデータストリームの各々のために離散フーリエ変換（ＤＦＴ）を実行することと
を行うためにさらに実行可能である、請求項８８に記載のコンピュータ可読媒体。
【請求項９０】
前記１つ以上のアップリンクチャネルが、物理アップリンク制御チャネル（ＰＵＣＣＨ）を備える、請求項８４に記載のコンピュータ可読媒体。
【請求項９１】
前記コードが、前記プロセッサによって、
前記１つ以上の多重分離されたデータストリームのうちの少なくとも１つのために離散フーリエ変換（ＤＦＴ）を実行すること
を行うためにさらに実行可能である、請求項９０に記載のコンピュータ可読媒体。
【請求項９２】
前記コードが、前記プロセッサによって、
前記ＰＵＣＣＨ上で送信されるべき前記データのペイロードサイズを決定することと、  前記ペイロードサイズに基づいて選択された符号化方式を使用して送信されるべき前記データを符号化することと
を行うためにさらに実行可能である、請求項９０に記載のコンピュータ可読媒体。
【請求項９３】
前記コードが、前記プロセッサによって、前記ペイロードサイズのしきい値に少なくとも部分的に基づいて前記データを符号化する前記符号化方式を選択することを行うためにさらに実行可能である、請求項９２に記載のコンピュータ可読媒体。
【請求項９４】
前記１つ以上のアップリンクチャネルが、物理ランダムアクセスチャネル（ＰＲＡＣＨ）を備える、請求項８４に記載のコンピュータ可読媒体。
【請求項９５】
前記コードが、前記プロセッサによって、
ランダムアクセス要求のための前記いくつかの割り当てられたインターレースのサブセットを選択することと、
前記いくつかの割り当てられたインターレースの前記選択されたサブセットのための前記データストリームに送信されるべき前記データを符号化することと
を行うためにさらに実行可能である、請求項９４に記載のコンピュータ可読媒体。
【請求項９６】
前記コードが、前記プロセッサによって、
前記いくつかの割り当てられたインターレースの各々のための前記１つ以上の多重分離されたデータストリームの各々を拡散することと、
前記１つ以上の多重分離されたデータストリームの各々のために離散フーリエ変換（ＤＦＴ）を実行することと
を行うためにさらに実行可能である、請求項９５に記載のコンピュータ可読媒体。
【請求項９７】
前記１つ以上のアップリンクチャネルが、物理アップリンク制御チャネル（ＰＵＣＣＨ）と、物理アップリンク共有チャネル（ＰＵＳＣＨ）と、物理ランダムアクセスチャネル（ＰＲＡＣＨ）とを備える、請求項８４に記載のコンピュータ可読媒体。
【請求項９８】
前記ＰＵＣＣＨ、ＰＵＳＣＨ、およびＰＲＡＣＨの前記各々が、割り当てられたインターレースの１つ以上のクラスタを備える、請求項９７に記載のコンピュータ可読媒体。
【請求項９９】
前記ＰＵＣＣＨと前記ＰＲＡＣＨとの各々が、無線フレームの第１のアップリンクサブフレーム中に割り当てられたインターレースの１つ以上のクラスタを備える、請求項９８に記載のコンピュータ可読媒体。
【請求項１００】
前記ＰＵＳＣＨが、無線フレームの第１のアップリンクサブフレーム中の割り当てられたインターレースのクラスタの第１のサブセットと前記無線フレームの後続のアップリンクサブフレームのための割り当てられたインターレースのクラスタの第２のサブセットとを備え、割り当てられたインターレースのクラスタの前記第２のサブセットが、割り当てられたインターレースのクラスタの前記第１のサブセットとは異なる数の、割り当てられたインターレースのクラスタを有する、請求項９８に記載のコンピュータ可読媒体。
【手続補正２】
【補正対象書類名】明細書
【補正対象項目名】０１２３
【補正方法】変更
【補正の内容】
【０１２３】
[0139]本開示の前述の説明は、当業者が本開示を作成または使用することができるように与えたものである。本開示への様々な修正は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に、本願の出願当初の特許請求の範囲に記載された発明を付記する。
［Ｃ１］
ワイヤレス通信のための方法であって、
１つまたは複数のアップリンクチャネル上で送信されるべきデータを備えるデータストリームを取得することと、前記１つまたは複数のアップリンクチャネルの各々が、共有無線周波数スペクトル帯域を介したアップリンク送信のためのいくつかの割り当てられたインターレースを備える、ここにおいて、前記いくつかの割り当てられたインターレースの各々が、前記共有無線周波数スペクトル帯域の１つまたは複数のリソースブロックを備える、
前記いくつかの割り当てられたインターレースのための１つまたは複数の多重分離されたデータストリームを与えるために前記データストリームを多重分離することと、
前記いくつかの割り当てられたインターレースに関連する複数のリソース要素に前記多重分離されたデータストリームのうちの少なくとも１つをマッピングすることと
を備える、方法。
［Ｃ２］
前記いくつかの割り当てられたインターレースの各々が、前記共有無線周波数スペクトル帯域の複数の不連続リソースブロックを備える、Ｃ１に記載の方法。
［Ｃ３］
前記いくつかの割り当てられたインターレースの各々が、前記共有無線周波数スペクトル帯域の複数の連続リソースブロックを備える、Ｃ１に記載の方法。
［Ｃ４］
前記いくつかの割り当てられたインターレースの各々が、前記共有無線周波数スペクトル帯域の複数のリソースブロックを備え、ここにおいて、前記複数のリソースブロックの第１のサブセットが連続であり、前記複数のリソースブロックの第２のサブセットが不連続である、Ｃ１に記載の方法。
［Ｃ５］
前記１つまたは複数のアップリンクチャネルが、物理アップリンク共有チャネル（ＰＵＳＣＨ）を備える、Ｃ１に記載の方法。
［Ｃ６］
前記ＰＵＳＣＨのための前記いくつかの割り当てられたインターレースの前記１つまたは複数のリソースブロックが、非隣接リソースブロックを備え、ここにおいて、別個の多重分離されたデータストリームが、前記非隣接リソースブロックの各リソースブロックにマッピングされる、Ｃ５に記載の方法。
［Ｃ７］
前記ＰＵＳＣＨのための前記いくつかの割り当てられたインターレースの前記１つまたは複数のリソースブロックが、少なくとも２つの隣接リソースブロックを備え、ここにおいて、前記１つまたは複数の多重分離されたデータストリームのうちの１つが、前記少なくとも２つの隣接リソースブロックの各リソースブロックにマッピングされる、Ｃ５に記載の方法。
［Ｃ８］
前記複数のリソース要素が、シングルキャリア周波数分割多元接続（ＳＣ−ＦＤＭＡ）技法を使用して送信される、Ｃ５に記載の方法。
［Ｃ９］
前記方法が、
多重分離されたデータストリームごとに離散フーリエ変換（ＤＦＴ）を実行すること  をさらに備える、Ｃ８に記載の方法。
［Ｃ１０］
前記複数のリソース要素が、直交周波数分割多元接続（ＯＦＤＭＡ）技法を使用して送信される、Ｃ５に記載の方法。
［Ｃ１１］
前記１つまたは複数のアップリンクチャネルが、物理アップリンク制御チャネル（ＰＵＣＣＨ）を備える、Ｃ１に記載の方法。
［Ｃ１２］
前記１つまたは複数の多重分離されたデータストリームのうちの少なくとも１つのために離散フーリエ変換（ＤＦＴ）を実行すること
をさらに備える、Ｃ１１に記載の方法。
［Ｃ１３］
前記ＰＵＣＣＨ上で送信されるべき前記データのペイロードサイズを決定することと、  前記ペイロードサイズに基づいて選択された符号化方式を使用して送信されるべき前記データを符号化することと
をさらに備える、Ｃ１１に記載の方法。
［Ｃ１４］
前記データを符号化することが、前記ペイロードサイズのしきい値に少なくとも部分的に基づいて前記データを符号化する前記符号化方式を選択することを備える、Ｃ１３に記載の方法。
［Ｃ１５］
前記ＰＵＣＣＨのための前記いくつかの割り当てられたインターレースに少なくとも部分的に基づいて前記符号化されたデータをレートマッチングすること
をさらに備える、Ｃ１３に記載の方法。
［Ｃ１６］
前記レートマッチングされた符号化されたデータをインターリーブすること
をさらに備える、Ｃ１５に記載の方法。
［Ｃ１７］
前記インターリーブされレートマッチングされた符号化されたデータをスクランブルすること
をさらに備える、Ｃ１６に記載の方法。
［Ｃ１８］
拡散シーケンスを使用して前記１つまたは複数の多重分離されたデータストリームの各々を拡散すること
をさらに備える、Ｃ１１に記載の方法。
［Ｃ１９］
基準信号で前記１つまたは複数の多重分離されたデータストリームの各々を多重化すること
をさらに備える、Ｃ１１に記載の方法。
［Ｃ２０］
前記１つまたは複数のアップリンクチャネルが、物理ランダムアクセスチャネル（ＰＲＡＣＨ）を備える、Ｃ１に記載の方法。
［Ｃ２１］
ランダムアクセス要求のための前記いくつかの割り当てられたインターレースのサブセットを選択することと、
前記いくつかの割り当てられたインターレースの前記選択されたサブセットのための前記データストリームに送信されるべき前記データを符号化することと
をさらに備える、Ｃ２０に記載の方法。
［Ｃ２２］
前記ＰＲＡＣＨへの前記いくつかの割り当てられたインターレースに少なくとも部分的に基づいて前記符号化されたデータをレートマッチングすること
をさらに備える、Ｃ２１に記載の方法。
［Ｃ２３］
前記レートマッチングされた符号化されたデータをインターリーブすること
をさらに備える、Ｃ２２に記載の方法。
［Ｃ２４］
前記インターリーブされレートマッチングされた符号化されたデータをスクランブルすること
をさらに備える、Ｃ２３に記載の方法。
［Ｃ２５］
前記いくつかの割り当てられたインターレースの各々のための前記１つまたは複数の多重分離されたデータストリームの各々を拡散することと、
前記１つまたは複数の多重分離されたデータストリームの各々のために離散フーリエ変換（ＤＦＴ）を実行すること
をさらに備える、Ｃ２０に記載の方法。
［Ｃ２６］
基準信号で前記いくつかの割り当てられたインターレースの各々のための前記１つまたは複数の多重分離されたデータストリームの各々を多重化すること
をさらに備える、Ｃ２０に記載の方法。
［Ｃ２７］
前記１つまたは複数のアップリンクチャネルが、物理アップリンク制御チャネル（ＰＵＣＣＨ）と、物理アップリンク共有チャネル（ＰＵＳＣＨ）と、物理ランダムアクセスチャネル（ＰＲＡＣＨ）とを備える、Ｃ１に記載の方法。
［Ｃ２８］
前記ＰＵＣＣＨ、ＰＵＳＣＨ、およびＰＲＡＣＨの前記各々が、割り当てられたインターレースの１つまたは複数のクラスタを備える、Ｃ２７に記載の方法。
［Ｃ２９］
割り当てられたインターレースの前記１つまたは複数のクラスタの各々が、前記ＰＵＣＣＨ、ＰＵＳＣＨ、またはＰＲＡＣＨのうちの１つのための前記いくつかの割り当てられたインターレースを備える、Ｃ２８に記載の方法。
［Ｃ３０］
前記ＰＵＣＣＨが、無線フレームの第１のアップリンクサブフレーム中に割り当てられたインターレースの１つまたは複数のクラスタを備える、Ｃ２８に記載の方法。
［Ｃ３１］
前記ＰＲＡＣＨが、無線フレームの第１のアップリンクサブフレーム中に割り当てられたインターレースの１つまたは複数のクラスタを備える、Ｃ２８に記載の方法。
［Ｃ３２］
前記ＰＵＳＣＨが、無線フレームの第１のアップリンクサブフレーム中の割り当てられたインターレースのクラスタの第１のサブセットと前記無線フレームの後続のアップリンクサブフレームのための割り当てられたインターレースのクラスタの第２のサブセットとを備え、割り当てられたインターレースのクラスタの前記第２のサブセットが、割り当てられたインターレースのクラスタの前記第１のサブセットとは異なる数の、割り当てられたインターレースのクラスタを有する、Ｃ２８に記載の方法。
［Ｃ３３］
割り当てられたインターレースのクラスタの前記第１のサブセットと割り当てられたインターレースのクラスタの前記第２のサブセットとのために利用可能なクラスタが、基地局から受信された制御シグナリングに基づいて決定される、Ｃ３２に記載の方法。
［Ｃ３４］
ワイヤレス通信のための装置であって、
プロセッサと、
前記プロセッサと電子通信しているメモリと
を備え、
前記プロセッサと前記メモリとが、
１つまたは複数のアップリンクチャネル上で送信されるべきデータを備えるデータストリームを取得することと、前記１つまたは複数のアップリンクチャネルの各々が、共有無線周波数スペクトル帯域を介したアップリンク送信のためのいくつかの割り当てられたインターレースを備える、ここにおいて、前記いくつかの割り当てられたインターレースの各々が、前記共有無線周波数スペクトル帯域のリソースブロックを備える、
前記いくつかの割り当てられたインターレースのための１つまたは複数の多重分離されたデータストリームを与えるために前記データストリームを多重分離することと、
前記いくつかの割り当てられたインターレースに関連する複数のリソース要素に前記１つまたは複数の多重分離されたデータストリームのうちの少なくとも１つをマッピングすることと
を行うように構成された、装置。
［Ｃ３５］
前記いくつかの割り当てられたインターレースの各々が、前記共有無線周波数スペクトル帯域の複数の不連続リソースブロックを備える、Ｃ３４に記載の装置。
［Ｃ３６］
前記いくつかの割り当てられたインターレースの各々が、前記共有無線周波数スペクトル帯域の複数の連続リソースブロックを備える、Ｃ３４に記載の装置。
［Ｃ３７］
前記いくつかの割り当てられたインターレースの各々が、前記共有無線周波数スペクトル帯域の複数のリソースブロックを備え、ここにおいて、前記複数のリソースブロックの第１のサブセットが連続であり、前記複数のリソースブロックの第２のサブセットが不連続である、Ｃ３４に記載の装置。
［Ｃ３８］
前記１つまたは複数のアップリンクチャネルが、物理アップリンク共有チャネル（ＰＵＳＣＨ）を備える、Ｃ３４に記載の装置。
［Ｃ３９］
前記ＰＵＳＣＨのための前記いくつかの割り当てられたインターレースの前記１つまたは複数のリソースブロックが、非隣接リソースブロックを備え、ここにおいて、別個の多重分離されたデータストリームが、前記非隣接リソースブロックの各リソースブロックにマッピングされる、Ｃ３８に記載の装置。
［Ｃ４０］
前記ＰＵＳＣＨのための前記いくつかの割り当てられたインターレースの前記１つまたは複数のリソースブロックが、少なくとも２つの隣接リソースブロックを備え、ここにおいて、前記１つまたは複数の多重分離されたデータストリームのうちの１つが、前記少なくとも２つの隣接リソースブロックの各リソースブロックにマッピングされる、Ｃ３８に記載の装置。
［Ｃ４１］
前記複数のリソース要素が、シングルキャリア周波数分割多元接続（ＳＣ−ＦＤＭＡ）技法を使用して送信される、Ｃ３８に記載の装置。
［Ｃ４２］
前記プロセッサと前記メモリとが、
前記１つまたは複数の多重分離されたデータストリームの各々のために離散フーリエ変換（ＤＦＴ）を実行すること
を行うようにさらに構成された、Ｃ４１に記載の装置。
［Ｃ４３］
前記複数のリソース要素が、直交周波数分割多元接続（ＯＦＤＭＡ）技法を使用して送信される、Ｃ３８に記載の装置。
［Ｃ４４］
前記１つまたは複数のアップリンクチャネルが、物理アップリンク制御チャネル（ＰＵＣＣＨ）を備える、Ｃ３４に記載の装置。
［Ｃ４５］
前記プロセッサと前記メモリとが、
前記１つまたは複数の多重分離されたデータストリームのうちの少なくとも１つのために離散フーリエ変換（ＤＦＴ）を実行すること
を行うようにさらに構成された、Ｃ４４に記載の装置。
［Ｃ４６］
前記プロセッサと前記メモリとが、
前記ＰＵＣＣＨ上で送信されるべき前記データのペイロードサイズを決定することと、  前記ペイロードサイズに基づいて選択された符号化方式を使用して送信されるべき前記データを符号化することと
を行うようにさらに構成された、Ｃ４４に記載の装置。
［Ｃ４７］
前記プロセッサと前記メモリとが、前記ペイロードサイズのしきい値に少なくとも部分的に基づいて前記データを符号化する前記符号化方式を選択することを行うようにさらに構成された、Ｃ４６に記載の装置。
［Ｃ４８］
前記プロセッサと前記メモリとが、
前記ＰＵＣＣＨのための前記いくつかの割り当てられたインターレースに少なくとも部分的に基づいて前記符号化されたデータをレートマッチングすること
を行うようにさらに構成された、Ｃ４６に記載の装置。
［Ｃ４９］
前記プロセッサと前記メモリとが、
前記レートマッチングされた符号化されたデータをインターリーブすること
を行うようにさらに構成された、Ｃ４８に記載の装置。
［Ｃ５０］
前記プロセッサと前記メモリとが、
前記インターリーブされレートマッチングされた符号化されたデータをスクランブルすること
を行うようにさらに構成された、Ｃ４９に記載の装置。
［Ｃ５１］
前記プロセッサと前記メモリとが、
拡散シーケンスを使用して前記１つまたは複数の多重分離されたデータストリームの各々を拡散すること
を行うようにさらに構成された、Ｃ４４に記載の装置。
［Ｃ５２］
前記プロセッサと前記メモリとが、
基準信号で前記１つまたは複数の多重分離されたデータストリームの各々を多重化すること
を行うようにさらに構成された、Ｃ４４に記載の装置。
［Ｃ５３］
前記１つまたは複数のアップリンクチャネルが、物理ランダムアクセスチャネル（ＰＲＡＣＨ）を備える、Ｃ３４に記載の装置。
［Ｃ５４］
前記プロセッサと前記メモリとが、
ランダムアクセス要求のための前記いくつかの割り当てられたインターレースのサブセットを選択することと、
前記いくつかの割り当てられたインターレースの前記選択されたサブセットのための前記データストリームに送信されるべき前記データを符号化することと
を行うようにさらに構成された、Ｃ５３に記載の装置。
［Ｃ５５］
前記プロセッサと前記メモリとが、
前記ＰＲＡＣＨへの前記いくつかの割り当てられたインターレースに少なくとも部分的に基づいて前記符号化されたデータをレートマッチングすること
を行うようにさらに構成された、Ｃ５４に記載の装置。
［Ｃ５６］
前記プロセッサと前記メモリとが、
前記レートマッチングされた符号化されたデータをインターリーブすること
を行うようにさらに構成された、Ｃ５５に記載の装置。
［Ｃ５７］
前記プロセッサと前記メモリとが、
前記インターリーブされレートマッチングされた符号化されたデータをスクランブルすること
を行うようにさらに構成された、Ｃ５６に記載の装置。
［Ｃ５８］
前記プロセッサと前記メモリとが、
前記いくつかの割り当てられたインターレースの各々のための前記１つまたは複数の多重分離されたデータストリームの各々を拡散することと、
前記１つまたは複数の多重分離されたデータストリームの各々のために離散フーリエ変換（ＤＦＴ）を実行することと
を行うようにさらに構成された、Ｃ５３に記載の装置。
［Ｃ５９］
前記プロセッサと前記メモリとが、
基準信号で前記いくつかの割り当てられたインターレースの各々のための前記１つまたは複数の多重分離されたデータストリームの各々を多重化すること
を行うようにさらに構成された、Ｃ５３に記載の装置。
［Ｃ６０］
前記１つまたは複数のアップリンクチャネルが、物理アップリンク制御チャネル（ＰＵＣＣＨ）と、物理アップリンク共有チャネル（ＰＵＳＣＨ）と、物理ランダムアクセスチャネル（ＰＲＡＣＨ）とを備える、Ｃ３４に記載の装置。
［Ｃ６１］
前記ＰＵＣＣＨ、ＰＵＳＣＨ、およびＰＲＡＣＨの前記各々が、割り当てられたインターレースの１つまたは複数のクラスタを備える、Ｃ６０に記載の装置。
［Ｃ６２］
割り当てられたインターレースの前記１つまたは複数のクラスタの各々が、前記ＰＵＣＣＨ、ＰＵＳＣＨ、またはＰＲＡＣＨのうちの１つのための前記いくつかの割り当てられたインターレースを備える、Ｃ６１に記載の装置。
［Ｃ６３］
前記ＰＵＣＣＨが、無線フレームの第１のアップリンクサブフレーム中に割り当てられたインターレースの１つまたは複数のクラスタを備える、Ｃ６１に記載の装置。
［Ｃ６４］
前記ＰＲＡＣＨが、無線フレームの第１のアップリンクサブフレーム中に割り当てられたインターレースの１つまたは複数のクラスタを備える、Ｃ６１に記載の装置。
［Ｃ６５］
前記ＰＵＳＣＨが、無線フレームの第１のアップリンクサブフレーム中の割り当てられたインターレースのクラスタの第１のサブセットと前記無線フレームの後続のアップリンクサブフレームのための割り当てられたインターレースのクラスタの第２のサブセットとを備え、割り当てられたインターレースのクラスタの前記第２のサブセットが、割り当てられたインターレースのクラスタの前記第１のサブセットとは異なる数の、割り当てられたインターレースのクラスタを有する、Ｃ６１に記載の装置。
［Ｃ６６］
割り当てられたインターレースのクラスタの前記第１のサブセットと割り当てられたインターレースのクラスタの前記第２のサブセットとのために利用可能なクラスタが、基地局から受信された制御シグナリングに基づいて決定される、Ｃ６５に記載の装置。
［Ｃ６７］
ワイヤレス通信のための装置であって、
１つまたは複数のアップリンクチャネル上で送信されるべきデータを備えるデータストリームを取得するための手段と、前記１つまたは複数のアップリンクチャネルの各々が、共有無線周波数スペクトル帯域を介したアップリンク送信のためのいくつかの割り当てられたインターレースを備える、ここにおいて、前記いくつかの割り当てられたインターレースの各々が、前記共有無線周波数スペクトル帯域の１つまたは複数のリソースブロックを備える、
前記いくつかの割り当てられたインターレースのための１つまたは複数の多重分離されたデータストリームを与えるために前記データストリームを多重分離するための手段と、  前記いくつかの割り当てられたインターレースに関連する複数のリソース要素に前記１つまたは複数の多重分離されたデータストリームのうちの少なくとも１つをマッピングするための手段と
を備える、装置。
［Ｃ６８］
前記いくつかの割り当てられたインターレースの各々が、前記共有無線周波数スペクトル帯域の複数の不連続リソースブロックを備える、Ｃ６７に記載の装置。
［Ｃ６９］
前記いくつかの割り当てられたインターレースの各々が、前記共有無線周波数スペクトル帯域の複数の連続リソースブロックを備える、Ｃ６７に記載の装置。
［Ｃ７０］
前記いくつかの割り当てられたインターレースの各々が、前記共有無線周波数スペクトル帯域の複数のリソースブロックを備え、ここにおいて、前記複数のリソースブロックの第１のサブセットが連続であり、前記複数のリソースブロックの第２のサブセットが不連続である、Ｃ６７に記載の装置。
［Ｃ７１］
前記１つまたは複数のアップリンクチャネルが、物理アップリンク共有チャネル（ＰＵＳＣＨ）を備える、Ｃ６７に記載の装置。
［Ｃ７２］
前記１つまたは複数の多重分離されたデータストリームの各々のために離散フーリエ変換（ＤＦＴ）を実行するための手段
をさらに備える、Ｃ７１に記載の装置。
［Ｃ７３］
前記１つまたは複数のアップリンクチャネルが、物理アップリンク制御チャネル（ＰＵＣＣＨ）を備える、Ｃ６７に記載の装置。
［Ｃ７４］
前記１つまたは複数の多重分離されたデータストリームのうちの少なくとも１つのために離散フーリエ変換（ＤＦＴ）を実行するための手段
をさらに備える、Ｃ７３に記載の装置。
［Ｃ７５］
前記ＰＵＣＣＨ上で送信されるべき前記データのペイロードサイズを決定するための手段と、
前記ペイロードサイズに基づいて選択された符号化方式を使用して送信されるべき前記データを符号化するための手段と
をさらに備える、Ｃ７３に記載の装置。
［Ｃ７６］
前記データを符号化するための前記手段が、前記ペイロードサイズのしきい値に少なくとも部分的に基づいて前記データを符号化する前記符号化方式を選択するための手段を備える、Ｃ７５に記載の装置。
［Ｃ７７］
前記１つまたは複数のアップリンクチャネルが、物理ランダムアクセスチャネル（ＰＲＡＣＨ）を備える、Ｃ６７に記載の装置。
［Ｃ７８］
ランダムアクセス要求のための前記いくつかの割り当てられたインターレースのサブセットを選択するための手段と、
前記いくつかの割り当てられたインターレースの前記選択されたサブセットのための前記データストリームに送信されるべき前記データを符号化するための手段と
をさらに備える、Ｃ７７に記載の装置。
［Ｃ７９］
前記いくつかの割り当てられたインターレースの各々のための前記１つまたは複数の多重分離されたデータストリームの各々を拡散するための手段と、
前記１つまたは複数の多重分離されたデータストリームの各々のために離散フーリエ変換（ＤＦＴ）を実行するための手段と
をさらに備える、Ｃ７８に記載の装置。
［Ｃ８０］
前記１つまたは複数のアップリンクチャネルが、物理アップリンク制御チャネル（ＰＵＣＣＨ）と、物理アップリンク共有チャネル（ＰＵＳＣＨ）と、物理ランダムアクセスチャネル（ＰＲＡＣＨ）とを備える、Ｃ６７に記載の装置。
［Ｃ８１］
前記ＰＵＣＣＨ、ＰＵＳＣＨ、およびＰＲＡＣＨの前記各々が、割り当てられたインターレースの１つまたは複数のクラスタを備える、Ｃ８０に記載の装置。
［Ｃ８２］
前記ＰＵＣＣＨと前記ＰＲＡＣＨとの各々が、無線フレームの第１のアップリンクサブフレーム中に割り当てられたインターレースの１つまたは複数のクラスタを備える、Ｃ８１に記載の装置。
［Ｃ８３］
前記ＰＵＳＣＨが、無線フレームの第１のアップリンクサブフレーム中の割り当てられたインターレースのクラスタの第１のサブセットと前記無線フレームの後続のアップリンクサブフレームのための割り当てられたインターレースのクラスタの第２のサブセットとを備え、割り当てられたインターレースのクラスタの前記第２のサブセットが、割り当てられたインターレースのクラスタの前記第１のサブセットとは異なる数の、割り当てられたインターレースのクラスタを有する、Ｃ８１に記載の装置。
［Ｃ８４］
ワイヤレス通信のためのコンピュータ実行可能コードを記憶する非一時的コンピュータ可読媒体であって、前記コードが、プロセッサによって、
１つまたは複数のアップリンクチャネル上で送信されるべきデータを備えるデータストリームを取得することと、前記１つまたは複数のアップリンクチャネルの各々が、共有無線周波数スペクトル帯域を介したアップリンク送信のためのいくつかの割り当てられたインターレースを備える、ここにおいて、前記いくつかの割り当てられたインターレースの各々が、前記共有無線周波数スペクトル帯域の１つまたは複数のリソースブロックを備える、
前記いくつかの割り当てられたインターレースのための１つまたは複数の多重分離されたデータストリームを与えるために前記データストリームを多重分離することと、
前記いくつかの割り当てられたインターレースに関連する複数のリソース要素に前記１つまたは複数の多重分離されたデータストリームのうちの少なくとも１つをマッピングすることと
を行うために実行可能である、非一時的コンピュータ可読媒体。
［Ｃ８５］
前記いくつかの割り当てられたインターレースの各々が、前記共有無線周波数スペクトル帯域の複数の不連続リソースブロックを備える、Ｃ８４に記載の非一時的コンピュータ可読媒体。
［Ｃ８６］
前記いくつかの割り当てられたインターレースの各々が、前記共有無線周波数スペクトル帯域の複数の連続リソースブロックを備える、Ｃ８４に記載の非一時的コンピュータ可読媒体。
［Ｃ８７］
前記いくつかの割り当てられたインターレースの各々が、前記共有無線周波数スペクトル帯域の複数のリソースブロックを備え、ここにおいて、前記複数のリソースブロックの第１のサブセットが連続であり、前記複数のリソースブロックの第２のサブセットが不連続である、Ｃ８４に記載の非一時的コンピュータ可読媒体。
［Ｃ８８］
前記１つまたは複数のアップリンクチャネルが、物理アップリンク共有チャネル（ＰＵＳＣＨ）を備える、Ｃ８４に記載の非一時的コンピュータ可読媒体。
［Ｃ８９］
前記コードが、前記プロセッサによって、
前記１つまたは複数の多重分離されたデータストリームの各々のために離散フーリエ変換（ＤＦＴ）を実行することと
を行うためにさらに実行可能である、Ｃ８８に記載の非一時的コンピュータ可読媒体。
［Ｃ９０］
前記１つまたは複数のアップリンクチャネルが、物理アップリンク制御チャネル（ＰＵＣＣＨ）を備える、Ｃ８４に記載の非一時的コンピュータ可読媒体。
［Ｃ９１］
前記コードが、前記プロセッサによって、
前記１つまたは複数の多重分離されたデータストリームのうちの少なくとも１つのために離散フーリエ変換（ＤＦＴ）を実行すること
を行うためにさらに実行可能である、Ｃ９０に記載の非一時的コンピュータ可読媒体。
［Ｃ９２］
前記コードが、前記プロセッサによって、
前記ＰＵＣＣＨ上で送信されるべき前記データのペイロードサイズを決定することと、  前記ペイロードサイズに基づいて選択された符号化方式を使用して送信されるべき前記データを符号化することと
を行うためにさらに実行可能である、Ｃ９０に記載の非一時的コンピュータ可読媒体。
［Ｃ９３］
前記コードが、前記プロセッサによって、前記ペイロードサイズのしきい値に少なくとも部分的に基づいて前記データを符号化する前記符号化方式を選択することを行うためにさらに実行可能である、Ｃ９２に記載の非一時的コンピュータ可読媒体。
［Ｃ９４］
前記１つまたは複数のアップリンクチャネルが、物理ランダムアクセスチャネル（ＰＲＡＣＨ）を備える、Ｃ８４に記載の非一時的コンピュータ可読媒体。
［Ｃ９５］
前記コードが、前記プロセッサによって、
ランダムアクセス要求のための前記いくつかの割り当てられたインターレースのサブセットを選択することと、
前記いくつかの割り当てられたインターレースの前記選択されたサブセットのための前記データストリームに送信されるべき前記データを符号化することと
を行うためにさらに実行可能である、Ｃ９４に記載の非一時的コンピュータ可読媒体。
［Ｃ９６］
前記コードが、前記プロセッサによって、
前記いくつかの割り当てられたインターレースの各々のための前記１つまたは複数の多重分離されたデータストリームの各々を拡散することと、
前記１つまたは複数の多重分離されたデータストリームの各々のために離散フーリエ変換（ＤＦＴ）を実行することと
を行うためにさらに実行可能である、Ｃ９５に記載の非一時的コンピュータ可読媒体。
［Ｃ９７］
前記１つまたは複数のアップリンクチャネルが、物理アップリンク制御チャネル（ＰＵＣＣＨ）と、物理アップリンク共有チャネル（ＰＵＳＣＨ）と、物理ランダムアクセスチャネル（ＰＲＡＣＨ）とを備える、Ｃ８４に記載の非一時的コンピュータ可読媒体。
［Ｃ９８］
前記ＰＵＣＣＨ、ＰＵＳＣＨ、およびＰＲＡＣＨの前記各々が、割り当てられたインターレースの１つまたは複数のクラスタを備える、Ｃ９７に記載の非一時的コンピュータ可読媒体。
［Ｃ９９］
前記ＰＵＣＣＨと前記ＰＲＡＣＨとの各々が、無線フレームの第１のアップリンクサブフレーム中に割り当てられたインターレースの１つまたは複数のクラスタを備える、Ｃ９８に記載の非一時的コンピュータ可読媒体。
［Ｃ１００］
前記ＰＵＳＣＨが、無線フレームの第１のアップリンクサブフレーム中の割り当てられたインターレースのクラスタの第１のサブセットと前記無線フレームの後続のアップリンクサブフレームのための割り当てられたインターレースのクラスタの第２のサブセットとを備え、割り当てられたインターレースのクラスタの前記第２のサブセットが、割り当てられたインターレースのクラスタの前記第１のサブセットとは異なる数の、割り当てられたインターレースのクラスタを有する、Ｃ９８に記載の非一時的コンピュータ可読媒体。